(57)【要約】【課題】分子式１：Ｃ３ＨｍＦｎ（但し、ｍ及びｎは１以上５以下の整数で、ｍ＋ｎ＝６の関係が成立する。）で示され且つ分子構造中に二重結合を１個有する冷媒から成る単一冷媒又は該冷媒を含む混合冷媒が用いられる冷凍装置において、圧縮機の圧縮機構の摺動部の耐久性／信頼性を確保する。【解決手段】圧縮機（30）の圧縮機構（82）において、オルダムリング（79）の摺動部を１２．６質量％以上１８質量％以下のシリコンを含有するアルミニウム合金で構成する。【選択図】図２
2009222033.tif 000002
【特許請求の範囲】
【請求項１】
圧縮機（30）によって冷媒を循環させて冷凍サイクルを行う冷媒回路（10）を備え、
上記冷媒回路（10）の冷媒として、分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒、又は該冷媒を含む混合冷媒が用いられる冷凍装置であって、
上記圧縮機（30）の圧縮機構（82）の摺動部（80）が、１２．６質量％以上１８質量％以下のシリコンを含有するアルミニウム合金で構成されていることを特徴とする冷凍装置。
【請求項２】
請求項１において、
上記圧縮機構（82）は、固定スクロール（75）と可動スクロール（76）との間に圧縮室（73）を形成するスクロール式の圧縮機構で構成され、
上記可動スクロール（76）の自転を防止する自転防止機構（79）の摺動部（80）が、上記アルミニウム合金で構成されていることを特徴とする冷凍装置。
【請求項３】
請求項１において、
上記圧縮機構（82）は、固定スクロール（75）と可動スクロール（76）との間に圧縮室（73）を形成するスクロール式の圧縮機構で構成され、
上記可動スクロール（76）の摺動部（80）が、上記アルミニウム合金で構成されていることを特徴とする冷凍装置。
【請求項４】
請求項１乃至３のいずれか１つにおいて、
上記圧縮機（30）の冷凍機油として、温度３０℃、相対湿度９０％における飽和水分量が２０００ｐｐｍ以上の冷凍機油が用いられることを特徴とする冷凍装置。
【請求項５】
請求項４において、
上記冷凍機油は、ポリアルキレングリコール、ポリオールエステル、及びポリビニルエーテルのうち少なくとも１つを主成分とすることを特徴とする冷凍装置。
【請求項６】
請求項４又は５において、上記冷凍機油は、動粘度が４０℃において３０ｃＳｔ以上４００ｃＳｔ以下で、流動点が−３０℃以下であることを特徴とする冷凍装置。
【請求項７】
請求項４乃至６のいずれか１つにおいて、
上記冷凍機油は、表面張力が２０℃において０．０２Ｎ／ｍ以上０．０４Ｎ／ｍ以下であることを特徴とする冷凍装置。
【請求項８】
請求項４乃至７のいずれか１つにおいて、
上記冷凍機油は、塩素濃度が５０ｐｐｍ以下であることを特徴とする冷凍装置。
【請求項９】
請求項４乃至８のいずれか１つにおいて、
上記冷凍機油は、硫黄濃度が５０ｐｐｍ以下であることを特徴とする冷凍装置。
【請求項１０】
請求項４乃至９のいずれか１つにおいて、
上記冷凍機油には、酸捕捉剤、極圧添加剤、酸化防止剤、酸素捕捉剤、消泡剤、油性剤、及び銅不活性化剤のうち少なくとも１種類の添加剤が添加されていることを特徴とする冷凍装置。
【請求項１１】
請求項１０において、
上記冷凍機油では、１種類の添加剤が添加されている場合には該添加剤の割合が０．０１質量％以上５質量％以下に、複数種類の添加剤が添加されている場合には各添加剤の割合が０．０１質量％以上５質量％以下になっていることを特徴とする冷凍装置。
【請求項１２】
請求項１乃至１１のいずれか１つにおいて、
上記分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒は、２，３，３，３−テトラフルオロ−１−プロペンであることを特徴とする冷凍装置。
【請求項１３】
請求項１乃至１２のいずれか１つにおいて、
上記冷媒回路（10）の冷媒は、さらにジフルオロメタンを含む混合冷媒であることを特徴とする冷凍装置。
【請求項１４】
請求項１乃至１３のいずれか１つにおいて、
上記冷媒回路（10）の冷媒は、さらにペンタフルオロエタンを含む混合冷媒であることを特徴とする冷凍装置。
【発明の詳細な説明】
【技術分野】
【０００１】
本発明は、圧縮機を備えて冷凍サイクルを行う冷凍装置に関し、特に圧縮機の圧縮機構の摺動部に係るものである。
【背景技術】
【０００２】
従来より、冷凍サイクルを行う冷媒回路を備えた冷凍装置は、空気調和装置や給湯機等に広く適用されている。
【０００３】
特許文献１には、この種の冷凍装置が開示されている。この冷凍装置は、圧縮機、凝縮器、膨張弁、凝縮器が接続されて冷凍サイクルが行われる冷媒回路を備えている。この冷媒回路では、圧縮機で圧縮された冷媒が凝縮器で空気へ放熱して凝縮する。凝縮器で凝縮した冷媒は、膨張弁で減圧された後、蒸発器で蒸発する。蒸発後の冷媒は、圧縮機に吸入されて再び圧縮される。
【０００４】
また、特許文献１の冷媒回路には、分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒が用いられている。この冷媒は、塩素原子や臭素原子を含まず、オゾン層の破壊への影響が小さいことが知られている。
【特許文献１】特開平４−１１０３８８号公報
【発明の開示】
【発明が解決しようとする課題】
【０００５】
ところで、特許文献１に開示の冷媒（Ｃ３ＨｍＦｎ）は、水分や酸素等に対して比較的不安定な分子構造を有するため、長期の冷凍サイクルに伴い冷媒が劣化して不純物等が生成してしまうことがある。このような不純物が生成されると、圧縮機構の摺動部（例えば可動スクロールの摺動面や、軸受け等）が物理的、あるいは化学的に変性して劣化／損耗してしまう。その結果、摺動部の耐久性／信頼性が損なわれてしまう虞がある。
【０００６】
本発明は、かかる点に鑑みてなされたものであり、その目的は、分子式１：Ｃ３ＨｍＦｎ（但し、ｍ及びｎは１以上５以下の整数で、ｍ＋ｎ＝６の関係が成立する。）で示され且つ分子構造中に二重結合を１個有する冷媒から成る単一冷媒又は該冷媒を含む混合冷媒が用いられる冷媒回路に接続される圧縮機において、摺動部の耐久性／信頼性を確保することである。
【課題を解決するための手段】
【０００７】
第１の発明は、  圧縮機（30）によって冷媒を循環させて冷凍サイクルを行う冷媒回路（10）を備え、上記冷媒回路（10）の冷媒として、分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒、又は該冷媒を含む混合冷媒が用いられる冷凍装置を前提としている。そして、この冷凍装置は、圧縮機（30）の圧縮機構（82）の摺動部（80）が、１２．６質量％以上１８質量％以下のシリコンを含有するアルミニウム合金で構成されていることを特徴とするものである。
【０００８】
第１の発明では、冷媒回路（10）の冷媒として、上記分子式１で表され且つ分子構造中に二重結合を１個有する冷媒又は該冷媒を含む混合冷媒が用いられている。この冷媒は、圧縮機構（82）によって圧縮され、冷媒回路（10）で冷凍サイクルが行われる。圧縮機構（82）の摺動部（80）は、１２．６質量％以上１８質量％以下のシリコンを含有するアルミニウム合金で構成される。アルミニウム合金では、シリコン粒子の析出に伴い耐久性が向上する。従って、冷媒が劣化して不純物が生成したとしても、不純物の影響により摺動部（80）が劣化／損耗してしまうことが抑制される。更にアルミニウム合金におけるシリコンの含有量を１２．６質量％以上１８質量％以下とすると、シリコン粒子の析出量が最適な範囲となり、良好な耐久性を得ることができる。
【０００９】
第２の発明は、第１の発明の冷凍装置において、上記圧縮機構（82）は、固定スクロール（75）と可動スクロール（76）との間に圧縮室（73）を形成するスクロール式の圧縮機構で構成され、上記可動スクロール（76）の自転を防止する自転防止機構（79）の摺動部（80）が、上記アルミニウム合金で構成されていることを特徴とするものである。
【００１０】
第２の発明の圧縮機（30）の圧縮機構（82）は、スクロール式の圧縮機構で構成される。この圧縮機構（82）では、固定スクロール（75）と可動スクロール（76）とが歯合し、両スクロール（75,76）の内部に圧縮室（73）が形成される。可動スクロール（76）は自転防止機構（79）によって自転が防止されながら固定スクロール（75）に対して旋回運動を行う。これにより、圧縮室（73）の容積が変化して冷媒が圧縮される。ここで、本発明では、自転防止機構（79）の摺動部（80）が上記のアルミニウム合金で構成される。このため、自転防止機構（79）の摺動部（80）では、良好な耐久性が得られる。
【００１１】
第３の発明は、第１の発明の冷凍装置において、上記圧縮機構（82）は、固定スクロール（75）と可動スクロール（76）との間に圧縮室（73）を形成するスクロール式の圧縮機構で構成され、上記可動スクロール（76）の摺動部（80）が、上記アルミニウム合金で構成されていることを特徴とするものである。
【００１２】
第３の発明では、固定スクロール（75）に対して旋回運動を行う可動スクロール（76）の摺動部（80）が、上記のアルミニウム合金で構成される。このため、可動スクロール（76）の摺動部（80）では、良好な耐久性が得られる。
【００１３】
第４の発明は、第１乃至第３のいずれか１つの発明の冷凍装置において、上記圧縮機（30）の冷凍機油として、温度３０℃、相対湿度９０％における飽和水分量が２０００ｐｐｍ以上の冷凍機油が用いられることを特徴とするものである。
【００１４】
第４の発明では、摺動部（80）を潤滑するための冷凍機油として、温度３０℃、相対湿度９０％の条件下における飽和水分量が２０００ｐｐｍ以上の冷凍機油が用いられる。つまり、本発明では、吸湿性が比較的高い冷凍機油が用いられる。これにより、冷媒中の水分を冷凍機油に捕捉することができる。その結果、冷媒では、水分の影響による劣化が抑制される。
【００１５】
第５の発明は、第４の発明の冷凍装置において、上記冷凍機油は、ポリアルキレングリコール、ポリオールエステル、及びポリビニルエーテルのうち少なくとも１つを主成分とすることを特徴とするものである。
【００１６】
第５の発明では、摺動部（80）等を潤滑するための冷凍機油として、ポリアルキレングリコール、ポリオールエステル、ポリビニルエーテルの少なくとも１つを主成分とする冷凍機油が用いられている。これらの冷凍機油は、上記分子式１で表され且つ分子構造中に二重結合を１個有する冷媒に対して相溶性を有するので、この冷媒が冷凍機油に溶解され易くなる。
【００１７】
ところで、上述のように冷媒が劣化して不純物が生成されると、この不純物の影響により本発明の冷凍機油も劣化してしまうことがある。これにより、冷凍機油の劣化に起因して更に不純物が生成され、冷凍機油に由来する不純物の影響により摺動部（80）の劣化／損耗が促されてしまう。しかしながら、本発明では、摺動部（80）として１２．６質量％以上１８質量％以下のシリコンを含有するアルミニウム合金を用いているので、摺動部（80）では、その耐摩耗性が向上され、不純物の生成に起因する劣化／損耗が抑制される。
【００１８】
第６の発明は、第４又は第５の発明の冷凍装置において、上記冷凍機油が、動粘度が４０℃において３０ｃＳｔ以上４００ｃＳｔ以下で、流動点が−３０℃以下であることを特徴とするものである。
【００１９】
第６の発明では、冷凍機油の動粘度が４０℃において３０ｃＳｔ以上であるため、動粘度不足によって油膜強度が不十分になることはなく、摺動部（80）の潤滑性能が確保される。また、冷凍機油の流動点が−３０℃以下であるため、冷媒回路（10）において低温部位でも冷凍機油の流動性が確保できる。
【００２０】
第７の発明は、第１乃至第６のいずれか１つの発明の冷凍装置において、上記冷凍機油は、表面張力が２０℃において０．０２Ｎ／ｍ以上０．０４Ｎ／ｍ以下であることを特徴とするものである。
【００２１】
第７の発明では、冷凍機油の表面張力が、２０℃において０．０２Ｎ／ｍ以上０．０４Ｎ／ｍ以下となる。ここで、冷凍機油の表面張力が小さすぎると、圧縮機（30）内のガス冷媒中で冷凍機油が小さな油滴になりやすく、比較的多量の冷凍機油が冷媒と共に圧縮機（30）から吐出されてしまう。従って、圧縮機（30）で油上がりが生じる虞がある。逆に、冷凍機油の表面張力が大きすぎると、圧縮機（30）から吐出された冷凍機油が、冷媒回路（10）において大きな油滴になり易い。このため、圧縮機（30）から吐出された冷凍機油が、冷媒によって押し流されにくく、圧縮機（30）に戻りにくくなる。従って、この場合にも、圧縮機（30）で油上がりが生じる虞がある。
【００２２】
以上のように、本発明では、冷凍機油の表面張力が２０℃において０．０２Ｎ／ｍ以上０．０４Ｎ／ｍ以下としたので、油滴の大きさが最適な範囲となり、上記のような油上がりが回避される。
【００２３】
第８の発明は、第４乃至第７のいずれか１つの発明の冷凍装置において、上記冷凍機油は、塩素濃度が５０ｐｐｍ以下であることを特徴とするものである。
【００２４】
第８の発明では、冷凍機油の塩素濃度が５０ｐｐｍ以下となるので、塩素に起因する冷媒の劣化が抑制される。これにより、不純物の生成も抑制され、摺動部（80）の耐久性が向上する。
【００２５】
第９の発明は、第４乃至第８のいずれか１つの発明の冷凍装置において、上記冷凍機油は、硫黄濃度が５０ｐｐｍ以下であることを特徴とするものである。
【００２６】
第９の発明では、冷凍機油の硫黄濃度が５０ｐｐｍ以下となるので、硫黄に起因する冷媒の劣化の促進が抑制される。これにより、不純物の生成も抑制され、摺動部（80）の耐久性が向上する。
【００２７】
第１０の発明は、第４乃至第９のいずれか１つの発明の冷凍装置において、上記冷凍機油には、酸捕捉剤、極圧添加剤、酸化防止剤、酸素捕捉剤、消泡剤、油性剤、及び銅不活性化剤のうち少なくとも１種類の添加剤が添加されていることを特徴とするものである。
【００２８】
第１０の発明では、酸捕捉剤、極圧添加剤、酸化防止剤、酸素捕捉剤、消泡剤、油性剤、及び銅不活性化剤の添加剤のうち少なくとも１種類の添加剤が冷凍機油に含まれている。このため、冷凍機油や冷媒の安定化が図られ、不純物等の生成が抑制される。
【００２９】
第１１の発明は、第１０の発明の冷凍装置において、上記冷凍機油では、１種類の添加剤が添加されている場合には該添加剤の割合が０．０１質量％以上５質量％以下に、複数種類の添加剤が添加されている場合には各添加剤の割合が０．０１質量％以上５質量％以下になっていることを特徴とするものである。
【００３０】
第１１の発明では、１種類の添加剤が冷凍機油に添加されている場合には、冷凍機油中の添加剤の割合が、０．０１質量％以上５質量％以下になっている。複数種類の添加剤が冷凍機油に添加されている場合には、冷凍機油中の何れの添加剤も、その割合が０．０１質量％以上５質量％以下になっている。
【００３１】
第１２の発明は、第１乃至第１１の何れか１つの発明の冷凍装置において、上記分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒は、２，３，３，３−テトラフルオロ−１−プロペンであることを特徴とするものである。
【００３２】
第１２の発明では、冷媒回路（10）の冷媒として、２，３，３，３−テトラフルオロ−１−プロペンからなる単一冷媒、又は２，３，３，３−テトラフルオロ−１−プロペンを含む混合冷媒が用いられる。
【００３３】
第１３の発明は、第１乃至第１２のいずれか１つの発明の冷凍装置において、上記冷媒回路（10）の冷媒は、さらにジフルオロメタンを含む混合冷媒であることを特徴とするものである。
【００３４】
第１３の発明では、冷媒回路（10）の冷媒として、上記分子式１で表され且つ分子構造中に二重結合を１個有する冷媒とジフルオロメタンとを含む混合冷媒が用いられる。ここで、上記分子式１で表され且つ分子構造中に二重結合を１個有する冷媒は、いわゆる低圧冷媒である。このため、例えば上記分子式１で表され且つ分子構造中に二重結合を１個有する冷媒からなる単一冷媒を用いる場合には、冷媒の圧力損失が冷凍装置の運転効率に与える影響が比較的大きく、理論上の運転効率に対して実際の運転効率が低下してしまう。そこで、この本発明では、上記分子式１で表され且つ分子構造中に二重結合を１個有する冷媒に、いわゆる高圧冷媒であるジフルオロメタンが加えられている。
【００３５】
第１４の発明は、第１乃至第１３のいずれか１つの発明の冷凍装置において、上記冷媒回路（10）の冷媒は、さらにペンタフルオロエタンを含む混合冷媒であることを特徴とするものである。
【００３６】
第１４の発明では、冷媒回路（10）の冷媒として、上記分子式１で表され且つ分子構造中に二重結合を１個有する冷媒とペンタフルオロエタンとを含む混合冷媒が用いられる。ここで、上記分子式１で表され且つ分子構造中に二重結合を１個有する冷媒は、微燃性の冷媒ではあるが、発火するおそれがない訳ではない。そこで、本発明では、上記分子式１で表され且つ分子構造中に二重結合を１個有する冷媒に、難燃性の冷媒であるペンタフルオロエタンが加えられている。
【発明の効果】
【００３７】
本発明では、冷媒回路（10）の冷媒として、分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒、又は該冷媒を含む混合冷媒が用いられる。これにより、冷凍サイクルの理論上の成績係数（ＣＯＰ）が高い冷凍装置を提供できる。
【００３８】
ここで、上記の冷媒は、二重結合を有する等の理由により比較的不安定な分子構造であり、冷媒が劣化して不純物等が生成され易い。このため、圧縮機構（82）の摺動部（80）は、このような不純物の影響により化学的／物理的に変性して劣化してしまう虞がある。しかしながら、本発明の摺動部（80）は、１２．６質量％以上１８質量％以下のシリコンを含有するアルミニウム合金で構成されているので、上記不純物の影響により、摺動部（80）が化学的／物理的に変性してしまうことが回避される。従って、摺動部（80）では、所望とする耐久性／潤滑性を得ることができ、摺動部（80）の信頼性を確保できる。
【００３９】
特に、第２の発明では、可動スクロール（76）の自転を防止する自転防止機構（79）の摺動部（80）として、１２．６質量％以上１８質量％以下のシリコンを含有するアルミニウム合金を用いているので、自転防止機構（79）の摺動部（80）の耐久性や信頼性を充分確保できる。また、第３の発明では、可動スクロール（76）の摺動部（80）として、１２．６質量％以上１８質量％以下のシリコンを含有するアルミニウム合金を用いているので、可動スクロール（76）の摺動部（80）の耐久性や信頼性を充分確保できる。
【００４０】
第４の発明では、温度３０℃、相対湿度９０％における飽和水分量が２０００ｐｐｍ以上の冷凍機油を用いているので、冷媒中の水分を冷凍機油に捕捉させることができる。このため、水分の影響により冷媒が劣化してしまうのを防止できる。
【００４１】
第５の発明の冷凍機油は、ポリアルキレングリコール、ポリオールエステル、及びポリビニルエーテルのうち少なくとも１つを主成分としている。これにより、冷媒と冷凍機油とが相互に溶け易くなる。このため、冷媒回路（10）中に冷凍機油が流出しても、この冷凍機油は冷媒に溶け込んで圧縮機に返送され易くなる。その結果、圧縮機における油上がりを抑制することができるので、圧縮機の冷凍機油不足、更には潤滑不良を未然に回避できる。従って、圧縮機の信頼性を向上させることができる。
【００４２】
特に、第６の発明の冷凍機油は、動粘度が４０℃において３０ｃＳｔ以上４００ｃＳｔ以下であるので、摺動部（80）の潤滑性能を充分確保できる。また、本発明では、流動点が−３０℃以下であるので、比較的低温部位でも、冷凍機油の流動性を確保できる。
【００４３】
第７の発明の冷凍機油は、表面張力が２０℃において０．０２Ｎ／ｍ以上０．０４Ｎ／ｍ以下であるので、圧縮機（30）から多量に冷凍機油が吐出されることや、圧縮機から吐出された冷凍機油が圧縮機に戻りにくくなることがない。従って、圧縮機において油上がりが生じることを抑制することができ、圧縮機構（82）の摺動部（80）の潤滑不良を防止できる。
【００４４】
第８の発明の冷凍機油は、塩素濃度が５０ｐｐｍ以下であるので、塩素に起因して冷媒の劣化が促進してしまうことを防止できる。その結果、摺動部（80）の耐久性を更に向上できる。また、第９の発明の冷凍機油は、硫黄濃度が５０ｐｐｍ以下であるので、硫黄に起因して冷媒の劣化が促進してしまうことを防止できる。その結果、摺動部（80）の耐久性を更に向上できる。
【００４５】
第１０や第１１の発明の冷凍機油では、酸捕捉剤、極圧添加剤、酸化防止剤、消泡剤、油性剤、及び銅不活性化剤の６種類の添加剤のうち少なくとも１種類の添加剤が添加されている。このため、冷媒や冷凍機油を安定化させることができ、不純物の発生を抑制できる。その結果、摺動部（80）の耐久性／信頼性を更に向上できる。
【００４６】
第１２の発明では、上記分子式１で表され且つ分子構造中に二重結合を１個有する冷媒が、２，３，３，３−テトラフルオロ−１−プロペンであるので、冷凍サイクルのＣＯＰの向上を図ることができる。
【００４７】
第１３の発明では、上記分子式１で表され且つ分子構造中に二重結合を１個有する冷媒に、いわゆる高圧冷媒であるジフルオロメタンが加えられている。このため、冷媒の圧力損失が冷凍装置の運転効率に与える影響を小さくすることができるので、冷凍装置の実際の運転効率を向上させることができる。
【００４８】
また、上記第１４の発明では、上記分子式１で表され且つ分子構造中に二重結合を１個有する冷媒に、難燃性の冷媒であるペンタフルオロエタンが加えられている。従って、冷媒回路（10）の冷媒が燃えにくくなるので、冷凍装置（20）の信頼性を向上させることができる。
【発明を実施するための最良の形態】
【００４９】
以下、本発明の実施形態を図面に基づいて詳細に説明する。
【００５０】
本実施形態は、本発明に係る冷凍装置（20）によって構成された空気調和装置（20）である。本実施形態の空気調和装置（20）は、図１に示すように、室外機（22）と３台の室内機（23a,23b,23c）とを備えている。なお、室内機（23）の台数は、単なる例示である。
【００５１】
上記空気調和装置（20）は、冷媒を充填されて冷凍サイクルを行う冷媒回路（10）を備えている。冷媒回路（10）は、室外機（22）に収容される室外回路（9）と、各室内機（23）に収容される室内回路（17a,17b,17c）とを備えている。これらの室内回路（17a,17b,17c）は、液側連絡配管（18）及びガス側連絡配管（19）によって室外回路（9）に接続されている。これらの室内回路（17a,17b,17c）は、互いに並列に接続されている。
【００５２】
本実施形態の冷媒回路（10）には、冷媒として２，３，３，３−テトラフルオロ−１−プロペン（以下、「ＨＦＯ−１２３４ｙｆ」という。）の単一冷媒が充填されている。なお、ＨＦＯ−１２３４ｙｆの化学式は、ＣＦ３−ＣＦ＝ＣＨ２で表される。
【００５３】
〈室外回路の構成〉
室外回路（9）には、圧縮機（30）、室外熱交換器（11）、室外膨張弁（12）、及び四路切換弁（13）が設けられている。
【００５４】
圧縮機（30）は、例えば運転容量が可変なインバータ式の圧縮機として構成されている。圧縮機（30）には、インバータを介して電力が供給される。圧縮機（30）は、吐出側が四路切換弁（13）の第２ポート（P2）に接続され、吸入側が四路切換弁（13）の第１ポート（P1）に接続されている。なお、圧縮機（30）についての詳細は後述する。
【００５５】
室外熱交換器（11）は、クロスフィン型のフィン・アンド・チューブ熱交換器として構成されている。室外熱交換器（11）の近傍には、室外ファン（14）が設けられている。室外熱交換器（11）では、室外空気と冷媒との間で熱交換が行われる。室外熱交換器（11）は、一端が四路切換弁（13）の第３ポート（P3）に接続され、他端が室外膨張弁（12）に接続されている。また、四路切換弁（13）の第４ポート（P4）は、ガス側連絡配管（19）に接続されている。
【００５６】
室外膨張弁（12）は、室外熱交換器（11）と室外回路（9）の液側端との間に設けられている。室外膨張弁（12）は、開度可変の電子膨張弁として構成されている。
【００５７】
四路切換弁（13）は、第１ポート（P1）と第４ポート（P4）とが連通して第２ポート（P2）と第３ポート（P3）とが連通する第１状態（図１に実線で示す状態）と、第１ポート（P1）と第３ポート（P3）とが連通して第２ポート（P2）と第４ポート（P4）とが連通する第２状態（図１に破線で示す状態）とが切り換え自在に構成されている。
【００５８】
〈室内回路の構成〉
各室内回路（17）には、そのガス側端から液側端へ向かって順に、室内熱交換器（15a,15b,15c）と、室内膨張弁（16a,16b,16c）とが設けられている。
【００５９】
室内熱交換器（15）は、クロスフィン型のフィン・アンド・チューブ熱交換器として構成されている。室内熱交換器（15）の近傍には、室内ファン（21）が設けられている。室内熱交換器（15）では、室内空気と冷媒との間で熱交換が行われる。また、室内膨張弁（16）は、開度可変の電子膨張弁として構成されている。
【００６０】
〈圧縮機の構成〉
圧縮機（30）は、例えば全密閉の高圧ドーム型のスクロール圧縮機として構成されている。圧縮機（30）の構成を図２及び図３に従って説明する。
【００６１】
圧縮機（30）は、縦型の密閉容器を形成するケーシング（70）を備えている。ケーシング（70）の内部には、下から上へ向かって、電動機（85）と圧縮機構（82）とが配置されている。
【００６２】
電動機（85）は、ステータ（83）とロータ（84）とを備えている。ステータ（83）は、ケーシング（70）の胴部に固定されている。一方、ロータ（84）は、ステータ（83）の内側に配置され、クランク軸（90）が連結されている。
【００６３】
圧縮機構（82）は、可動スクロール（76）と固定スクロール（75）とを備え、スクロール式の圧縮機構を構成している。可動スクロール（76）は、略円板状の可動側鏡板（76b）と、渦巻き状の可動側ラップ（76a）とを備えている。可動側ラップ（76a）は可動側鏡板（76b）の前面（上面）に立設されている。また、可動側鏡板（76b）の背面（下面）には、クランク軸（90）の偏心部が挿入された円筒状の突出部（76c）が立設されている。可動スクロール（76）は、オルダムリング（79）を介して、可動スクロール（76）の下側に配置されたハウジング（77）に支持されている。一方、固定スクロール（75）は、略円板状の固定側鏡板（75b）と、渦巻き状の固定側ラップ（75a）とを備えている。固定側ラップ（75a）は固定側鏡板（75b）の前面（下面）に立設されている。圧縮機構（82）では、固定側ラップ（75a）と可動側ラップ（76a）とが互いに噛み合うことによって、両ラップ（75a,76a）の接触部の間に複数の圧縮室（73）が形成されている。
【００６４】
なお、本実施形態の圧縮機（30）では、いわゆる非対称渦巻き構造が採用されており、固定側ラップ（75a）と可動側ラップ（76a）とで巻き数（渦巻きの長さ）が相違している。上記複数の圧縮室（73）は、固定側ラップ（75a）の内周面と可動側ラップ（76a）の外周面との間に構成される第１圧縮室（73a）と、固定側ラップ（75a）の外周面と可動側ラップ（76a）の内周面との間に構成される第２圧縮室（73b）とから構成されている。
【００６５】
圧縮機構（82）では、固定スクロール（75）の外縁部に吸入ポート（98）が形成されている。吸入ポート（98）には、ケーシング（70）の頂部を貫通する吸入管（57）が接続されている。吸入ポート（98）は、可動スクロール（76）の公転運動に伴って、第１圧縮室（73a）と第２圧縮室（73b）のそれぞれに間欠的に連通する。また、吸入ポート（98）には、圧縮室（73）から吸入管（57）へ戻る冷媒の流れを禁止する吸入逆止弁が設けられている（図示省略）。
【００６６】
また、圧縮機構（82）では、固定側鏡板（75b）の中央部に吐出ポート（93）が形成されている。吐出ポート（93）は、可動スクロール（76）の公転運動に伴って、第１圧縮室（73a）と第２圧縮室（73b）のそれぞれに間欠的に連通する。吐出ポート（93）は、固定スクロール（75）の上側に形成されたマフラー空間（96）に開口している。
【００６７】
ケーシング（70）内は、円盤状のハウジング（77）によって、上側の吸入空間（101）と下側の吐出空間（100）とに区画されている。吸入空間（101）は、図示しない連通ポートを通じて、吸入ポート（98）に連通している。吐出空間（100）は、固定スクロール（75）とハウジング（77）とに亘ってに形成された連絡通路（103）を通じて、マフラー空間（96）に連通している。運転中の吐出空間（100）は、吐出ポート（93）から吐出された冷媒がマフラー空間（96）を通じて流入するので、圧縮機構（82）で圧縮された冷媒で満たされる高圧空間になる。吐出空間（100）には、ケーシング（70）の胴部を貫通する吐出管（56）が開口している。
【００６８】
本実施形態の圧縮機（30）のケーシング（70）内には、有機材料によって構成された部品として、ステータ（83）の巻き線の絶縁被覆材料、絶縁フィルム、及び圧縮機構（82）のシール材料が用いられている。これらの部品には、高温高圧の冷媒に接触した場合でも、冷媒により物理的や化学的に変性を受けない物質で、特に耐溶剤性、耐抽出性、熱的・化学的安定性、耐発泡性を有する物質が用いられている。
【００６９】
具体的に、ステータ（83）の巻き線の絶縁被覆材料は、ポリビニルフォルマール、ポリエステル、ＴＨＥＩＣ変性ポリエステル、ポリアミド、ポリアミドイミド、ポリエステルイミド、ポリエステルアミドイミドの何れかが用いられている。なお、好ましいのは、上層がポリアミドイミド、下層がポリエステルイミドの二重被覆線である。また、上記物質以外に、ガラス転移温度が１２０℃以上のエナメル被覆を用いてもよい。
【００７０】
また、絶縁フィルムには、ポリエチレンテレフタレート（ＰＥＴ）、ポリエチレンナフタレート（ＰＥＮ）、ポリフェニレンサルファイド（ＰＰＳ）、ポリブチレンテフタレート（ＰＢＴ）の何れかが用いられている。なお、絶縁フィルムに、発泡材料が冷凍サイクルの冷媒と同じ発泡フィルムを用いることも可能である。インシュレーター等の巻き線を保持する絶縁材料には、ポリエーテルエーテルケトン（ＰＥＥＫ）、液晶ポリマー（ＬＣＰ）の何れかが用いられている。ワニスには、エポキシ樹脂が用いられている。また、シール材料には、ポリテトラフルオロエチレン、アラミド繊維やＮＢＲからなるパッキン、パーフルオロエラストマー、シリコンゴム、水素化ＮＢＲゴム、フッ素ゴムの何れかが用いられている。
【００７１】
また、ケーシング（70）の底部には、冷凍機油が貯留される油溜まりが形成されている。また、クランク軸（90）の内部には、油溜まりに開口する第１給油通路（104）が形成されている。また、可動側鏡板（76b）には、第１給油通路（104）に接続する第２給油通路（105）が形成されている。この圧縮機（30）では、油溜まりの冷凍機油が第１給油通路（104）及び第２給油通路（105）を通じて低圧側の圧縮室（73）に供給される。
【００７２】
上述のように、可動スクロール（76）とハウジング（77）との間には、オルダムリング（79）が設けられている。オルダムリング（79）は、可動スクロール（76）の自転を防止するための自転防止機構を構成している。オルダムリング（79）は、リング状に形成されており、リングの上側には互いに対向する位置にそれぞれスクロールキーが突設されている。また、オルダムリング（79）の下側には、上記スクロールキーに対して周方向に９０度ずれた位置に一対のハウジングキーが突設されている。つまり、オルダムリングでは、スクロールキーとハウジングキーとが、リング周方向において９０度ずれた位置に交互に設けられている。
【００７３】
上記可動スクロール（76）の可動側鏡板（76b）の背面側には、オルダムリング（79）のスクロールキーに対応するように径方向に延びる第１ガイド溝が形成されている。また、ハウジング（77）の上面には、オルダムリング（79）のハウジングキーに対応するように径方向に延びる第２ガイド溝が形成されている。オルダムリング（79）は、スクロールキーが第１ガイド溝に、ハウジングキーが第２ガイド溝にそれぞれ嵌合して摺動するように構成されている。これにより、可動スクロール（76）は、クランク軸（90）の回転するときに、オルダムリング（79）によって自転が防止され、公転（旋回）運動のみが許容されている。
【００７４】
本実施形態のオルダムリング（79）は、その全体がシリコンを含有するアルミニウム合金（いわゆるハイシリコンアルミニウム材料）で構成されている。オルダムリング（79）を構成するアルミニウム合金は、そのシリコンの含有量が１２．６質量％以上１８質量％以下となっている。つまり、オルダムリング（79）は、可動スクロール（76）やハウジング（77）に対する摺動部（80）（即ち、冷媒及び冷凍機油に接触可能に配設され、且つ部材同士が互いに摺接する部位）が、１２．６質量％以上１８質量％以下のシリコンを含有するアルミニウム合金で構成されている。なお、オルダムリング（79）について、その外表面（即ち、摺動部（80））にだけに上記のアルミニウム合金を別体で形成しても良い。
【００７５】
〈冷凍機油について〉
本実施形態では、ポリアルキレングリコール、ポリオールエステル、及びポリビニルエーテルの３種類の基油のうち少なくとも１種類を主成分とする冷凍機油を圧縮機（30）に用いることが可能である。例えば、本実施形態の冷凍機油には、この３種類のうちポリビニルエーテルだけを主成分とする冷凍機油が用いられている。
【００７６】
本実施形態の冷凍機油では、下記一般式（Ｉ）で表される構成単位を有するポリビニルエーテルを主成分とする冷凍機油が用いられている。この構造のポリビニルエーテルは、ポリビニルエーテルの中でも、上記分子式１で表され且つ分子構造中に二重結合を１個有する冷媒との相溶性に優れている。
【００７７】
【化１】
2009222033.tif 000003
【００７８】
一般式（Ｉ）において、Ｒ１、Ｒ２、及びＲ３は、水素又は炭素数が１以上８以下の炭化水素基を表している。Ｒ１、Ｒ２、及びＲ３は、同一でもよく、互いに異なっていてもよい。また、一般式（Ｉ）においては、構成単位毎において、Ｒ４が炭素数が１又は２のアルキル基が４０％以上１００％以下、炭素数が３又は４のアルキル基が０％以上６０％以下の構成比を有している。
【００７９】
上記冷凍機油は、動粘度が４０℃において３０ｃＳｔ以上４００ｃＳｔ以下で、流動点が−３０℃以下で、表面張力が２０℃において０．０２Ｎ／ｍ以上０．０４Ｎ／ｍ以下で、さらに密度が１５℃において０．８ｇ／ｃｍ３以上１．８ｇ／ｃｍ３以下になっている。また、冷凍機油は、温度３０℃、相対湿度９０％における飽和水分量が２０００ｐｐｍ以上になり、アニリン点が所定の数値範囲の値となっている。ここで、「アニリン点」は、例えば炭化水素系溶剤等の溶解性を示す数値であり、試料（ここでは冷凍機油）を等容積のアニリンと混合して冷やしたときに、互いに溶解し合えなくなって濁りがみえ始めたときの温度を表すものである（詳細は、JIS K 2256で定義）。なお、これらの値は、冷媒が溶解しない状態の冷凍機油自体の値である。この点は、後述する変形例１、変形例２、及びその他の実施形態に記載した冷凍機油も同じである。
【００８０】
本実施形態では、冷凍機油の主成分となるポリビニルエーテルが、ＨＦＯ−１２３４ｙｆに対して相溶性を有している。そして、冷凍機油の動粘度は、４０℃において４００ｃＳｔ以下である。このため、ＨＦＯ−１２３４ｙｆが、冷凍機油にある程度溶解する。また、冷凍機油の流動点が−３０℃以下であるため、冷媒回路（10）において比較的低温部位でも、冷凍機油の流動性を確保できる。また、表面張力が２０℃において０．０４Ｎ／ｍ以下であるため、圧縮機（30）から吐出された冷凍機油が冷媒によって押し流されにくくなるような大きな油滴になりにくい。従って、圧縮機（30）から吐出された冷凍機油は、ＨＦＯ−１２３４ｙｆに溶解してＨＦＯ−１２３４ｙｆと共に圧縮機（30）に戻ってくる。
【００８１】
また、冷凍機油の動粘度が４０℃において３０ｃＳｔ以上であるため、動粘度が低すぎて油膜強度が不十分になることはなく、潤滑性能が確保される。また、表面張力が２０℃において０．０２Ｎ／ｍ以上であるため、圧縮機（30）内のガス冷媒中で小さな油滴になりにくく、圧縮機（30）から多量に冷凍機油が吐出されることがない。このため、圧縮機（30）における冷凍機油の貯留量を充分に確保することができる。
【００８２】
また、冷凍機油の飽和水分量が、温度３０℃／相対湿度９０％において２０００ｐｐｍ以上であるため、冷凍機油の吸湿性が比較的高いものとなる。これにより、ＨＦＯ−１２３４ｙｆ中の水分を冷凍機油によって有る程度捕捉することが可能となる。ＨＦＯ−１２３４ｙｆは、含有される水分の影響により、変質／劣化し易い分子構造を有する。よって、冷凍機油による吸湿効果により、このような劣化を抑制することができる。
【００８３】
更に、冷凍機油のアニリン点を所定の数値範囲の値とすることで、冷凍機油と所定の樹脂製機能部品（冷凍機油や冷媒に接触可能に配設された有機材から成る機能部品であり、例えば摺動部材やシール部材等）との適合性が向上する。つまり、アニリン点を所定の数値範囲の値とすると、冷凍機油の影響により樹脂製機能部品が膨潤／縮小してしまうのを防止でき、樹脂製機能部品の機能が損なわれてしまうのを回避できる。
【００８４】
また、本実施形態の冷凍機油には、添加剤として、酸捕捉剤、極圧添加剤、酸化防止剤、消泡剤、油性剤、及び銅不活性化剤が添加されている。なお、本実施形態では上記６つの添加剤を全て使用しているが、各添加剤は必要に応じて添加すればよく、添加剤が１つだけであってもよい。個々の添加剤の配合量は、冷凍機油に含まれる割合が０．０１質量％以上５質量％以下になるように設定されている。なお、酸捕捉剤の配合量、及び酸化防止剤の配合量は、０．０５質量％以上３質量％以下の範囲が好ましい。
【００８５】
酸捕捉剤には、フェニルグリシジルエーテル、アルキルグリシジルエーテル、アルキレングリコールグリシジルエーテル、シクロヘキセンオキシド、α−オレフィンオキシド、エポキシ化大豆油などのエポキシ化合物を用いることができる。なお、これらの中で相溶性の観点から好ましい酸捕捉剤は、フェニルグリシジルエーテル、アルキルグリシジルエーテル、アルキレングリコールグリシジルエーテル、シクロヘキセンオキシド、α−オレフィンオキシドである。アルキルグリシジルエーテルのアルキル基、及びアルキレングリコールグリシジルエーテルのアルキレン基は、分岐を有していてもよい。これらの炭素数は、３以上３０以下であればよく、４以上２４以下であればより好ましく、６以上１６以下であれば更に好ましい。また、α−オレフィンオキシドは、全炭素数が４以上５０以下であればよく、４以上２４以下であればより好ましく、６以上１６以下であれば更に好ましい。酸捕捉剤は、１種だけを用いてもよく、複数種類を併用することも可能である。
【００８６】
なお、極圧添加剤には、リン酸エステル類を含むものを用いることができる。リン酸エステル類としては、リン酸エステル、亜リン酸エステル、酸性リン酸エステル、及び酸性亜リン酸エステル等を用いることができる。また、極圧添加剤には、リン酸エステル類には、リン酸エステル、亜リン酸エステル、酸性リン酸エステル、及び酸性亜リン酸エステルのアミン塩を含むものを用いることもできる。
【００８７】
リン酸エステルには、トリアリールホスフェート、トリアルキルホスフェート、トリアルキルアリールホスフェート、トリアリールアルキルホスフェート、トリアルケニルホスフェート等がある。さらに、リン酸エステルを具体的に列挙すると、トリフェニルホスフェート、トリクレジルホスフェート、ベンジルジフェニルホスフェート、エチルジフェニルホスフェート、トリブチルホスフェート、エチルジブチルホスフェート、クレジルジフェニルホスフェート、ジクレジルフェニルホスフェート、エチルフェニルジフェニルホスフェート、ジエチルフェニルフェニルホスフェート、プロピルフェニルジフェニルホスフェート、ジプロピルフェニルフェニルホスフェート、トリエチルフェニルホスフェート、トリプロピルフェニルホスフェート、ブチルフェニルジフェニルホスフェート、ジブチルフェニルフェニルホスフェート、トリブチルフェニルホスフェート、トリヘキシルホスフェート、トリ（２−エチルヘキシル）ホスフェート、トリデシルホスフェート、トリラウリルホスフェート、トリミリスチルホスフェート、トリパルミチルホスフェート、トリステアリルホスフェート、トリオレイルホスフェート等がある。
【００８８】
また、亜リン酸エステルの具体的としては、トリエチルホスファイト、トリブチルホスファイト、トリフェニルホスファイト、トリクレジルホスファイト、トリ（ノニルフェニル）ホスファイト、トリ（２−エチルヘキシル）ホスファイト、トリデシルホスファイト、トリラウリルホスファイト、トリイソオクチルホスファイト、ジフェニルイソデシルホスファイト、トリステアリルホスファイト、トリオレイルホスファイト等がある。
【００８９】
また、酸性リン酸エステルの具体的としては、２−エチルヘキシルアシッドホスフェート、エチルアシッドホスフェート、ブチルアシッドホスフェート、オレイルアシッドホスフェート、テトラコシルアシッドホスフェート、イソデシルアシッドホスフェート、ラウリルアシッドホスフェート、トリデシルアシッドホスフェート、ステアリルアシッドホスフェート、イソステアリルアシッドホスフェート等がある。
【００９０】
また、酸性亜リン酸エステルの具体的としては、ジブチルハイドロゲンホスファイト、ジラウリルハイドロゲンホスファイト、ジオレイルハイドゲンホスファイト、ジステアリルハイドロゲンホスファイト、ジフェニルハイドロゲンホスファイト等がある。以上のリン酸エステル類の中で、オレイルアシッドホスフェート、ステアリルアシッドホスフェートが好適である。
【００９１】
また、リン酸エステル、亜リン酸エステル、酸性リン酸エステル又は酸性亜リン酸エステルのアミン塩に用いられるアミンのうちモノ置換アミンの具体例としては、ブチルアミン、ペンチルアミン、ヘキシルアミン、シクロヘキシルアミン、オクチルアミン、ラウリルアミン、ステアリルアミン、オレイルアミン、ベンジルアミン等がある。また、ジ置換アミンの具体例としては、ジブチルアミン、ジペンチルアミン、ジヘキシルアミン、ジシクロヘキシルアミン、ジオクチルアミン、ジラウリルアミン、ジステアリルアミン、ジオレイルアミン、ジベンジルアミン、ステアリル・モノエタノールアミン、デシル・モノエタノールアミン、ヘキシル・モノプロパノールアミン、ベンジル・モノエタノールアミン、フェニル・モノエタノールアミン、トリル・モノプロパノール等がある。また、トリ置換アミンの具体例としては、トリブチルアミン、トリペンチルアミン、トリヘキシルアミン、トリシクロヘキシルアミン、トリオクチルアミン、トリラウリルアミン、トリステアリルアミン、トリオレイルアミン、トリベンジルアミン、ジオレイル・モノエタノールアミン、ジラウリル・モノプロパノールアミン、ジオクチル・モノエタノールアミン、ジヘキシル・モノプロパノールアミン、ジブチル・モノプロパノールアミン、オレイル・ジエタノールアミン、ステアリル・ジプロパノールアミン、ラウリル・ジエタノールアミン、オクチル・ジプロパノールアミン、ブチル・ジエタノールアミン、ベンジル・ジエタノールアミン、フェニル・ジエタノールアミン、トリル・ジプロパノールアミン、キシリル・ジエタノールアミン、トリエタノールアミン、トリプロパノールアミン等がある。
【００９２】
また、上記以外の極圧添加剤を添加することも可能である。例えば、モノスルフィド類、ポリスルフィド類、スルホキシド類、スルホン類、チオスルフィネート類、硫化油脂、チオカーボネート類、チオフェン類、チアゾール類、メタンスルホン酸エステル類等の有機硫黄化合物系の極圧添加剤、チオリン酸トリエステル類等のチオリン酸エステル系の極圧添加剤、高級脂肪酸、ヒドロキシアリール脂肪酸類、多価アルコールエステル類、アクリル酸エステル類等のエステル系の極圧添加剤、塩素化炭化水素類、塩素化カルボン酸誘導体等の有機塩素系の極圧添加剤、フッ素化脂肪族カルボン酸類、フッ素化エチレン樹脂、フッ素化アルキルポリシロキサン類、フッ素化黒鉛等の有機フッ素化系の極圧添加剤、高級アルコール等のアルコール系の極圧添加剤、ナフテン酸塩類（ナフテン酸鉛等）、脂肪酸塩類（脂肪酸鉛等）、チオリン酸塩類（ジアルキルジチオリン酸亜鉛等）、チオカルバミン酸塩類、有機モリブデン化合物、有機スズ化合物、有機ゲルマニウム化合物、ホウ酸エステル等の金属化合物系の極圧添加剤を用いることが可能である。
【００９３】
また、酸化防止剤には、フェノール系の酸化防止剤やアミン系の酸化防止剤を用いることができる。フェノール系の酸化防止剤には、２，６−ジ−ｔｅｒｔ−ブチル−４−メチルフェノール（ＤＢＰＣ）、２，６−ジ−ｔｅｒｔ−ブチル−４−エチルフェノール、２，２’−メチレンビス（４−メチル−６−ｔｅｒｔ−ブチルフェノール）、２，４−ジメチル−６−ｔｅｒｔ−ブチルフェノール、２，６−ジ−ｔｅｒｔ−ブチルフェノール等がある。また、アミン系の酸化防止剤には、Ｎ，Ｎ’−ジイソプロピル−ｐ−フェニレンジアミン、Ｎ，Ｎ’−ジ−ｓｅｃ−ブチル−ｐ−フェニレンジアミン、フェニル−α−ナフチルアミン、Ｎ．Ｎ’−ジ−フェニル−ｐ−フェニレンジアミン等がある。なお、酸化防止剤には、酸素を捕捉する酸素捕捉剤も用いることができる。
【００９４】
また、銅不活性化剤としては、ベンゾトリアゾールやその誘導体等を用いることができる。消泡剤としては、ケイ素化合物を用いることができる。油性剤としては、高級アルコール類を用いることができる。
【００９５】
また、本実施形態の冷凍機油には、必要に応じて、耐荷重添加剤、塩素捕捉剤、清浄分散剤、粘度指数向上剤、防錆剤、安定剤、腐食防止剤、及び流動点降下剤等を添加することも可能である。個々の添加剤の配合量は、冷凍機油に含まれる割合が０．０１質量％以上５質量％以下であればよく、０．０５質量％以上３質量％以下であることが好ましい。また、本実施形態の冷凍機油は、塩素濃度が５０ｐｐｍ以下、さらに硫黄濃度が５０ｐｐｍ以下になっている。
【００９６】
−運転動作−
上記空気調和装置（20）の運転動作について説明する。この空気調和装置（20）は、冷房運転と暖房運転とが実行可能になっており、四路切換弁（13）によって冷房運転と暖房運転との切り換えが行われる。
【００９７】
《冷房運転》
冷房運転時には、四路切換弁（13）が第１状態に設定される。この状態で、圧縮機（30）の運転が行われると、圧縮機（30）から吐出された高圧冷媒が、室外熱交換器（11）において室外空気へ放熱して凝縮する。室外熱交換器（11）で凝縮した冷媒は、各室内回路（17）へ分配される。各室内回路（17）では、流入した冷媒が、室内膨張弁（16）で減圧された後に、室内熱交換器（15）において室内空気から吸熱して蒸発する。一方、室内空気は冷却されて室内へ供給される。
【００９８】
各室内回路（17）で蒸発した冷媒は、他の室内回路（17）で蒸発した冷媒と合流して、室外回路（9）へ戻ってくる。室外回路（9）では、各室内回路（17）から戻ってきた冷媒が、圧縮機（30）で再び圧縮されて吐出される。なお、冷房運転中は、各室内膨張弁（16）の開度が、室内熱交換器（15）の出口における冷媒の過熱度が一定値（例えば５℃）になるように過熱度制御される。
【００９９】
《暖房運転》
暖房運転時には、四路切換弁（13）が第２状態に設定される。この状態で、圧縮機（30）の運転が行われると、圧縮機（30）から吐出された高圧冷媒が、各室内回路（17）へ分配される。各室内回路（17）では、流入した冷媒が室内熱交換器（15）において室内空気へ放熱して凝縮する。一方、室内空気は加熱されて室内へ供給される。室内熱交換器（15）で凝縮した冷媒は、室外回路（9）で合流する。
【０１００】
室外回路（9）で合流した冷媒は、室外膨張弁（12）で減圧された後、室外熱交換器（11）において室外空気から吸熱して蒸発する。室外熱交換器（11）で蒸発した冷媒は、圧縮機（30）で再び圧縮されて吐出される。なお、暖房運転中は、各室内膨張弁（16）の開度が、室内熱交換器（15）の出口における冷媒の過冷却度が一定値（例えば５℃）になるようにサブクール制御される。
【０１０１】
−実施形態の効果−
本実施形態では、冷媒回路（10）の冷媒として、分子式１：Ｃ３ＨｍＦｎ（但し、ｍ及びｎは１以上５以下の整数で、ｍ＋ｎ＝６の関係が成立する。）で表され且つ分子構造中に二重結合を１個有する冷媒から成る冷媒（即ち、ＨＦＯ−１２３４ｙｆ）を用いている。これにより、冷凍サイクルの理論上の成績係数（ＣＯＰ）が高い空気調和装置（20）を提供できる。
【０１０２】
一方、ＨＦＯ−１２３４ｙｆは、二重結合を有する等の理由により比較的不安定な分子構造であり、冷媒が劣化して不純物等が生成され易い。このため、上述したオルダムリング（79）の摺動部（80）は、このような不純物の影響により化学的／物理的に変性して劣化してしまう虞がある。しかしながら、本実施形態のオルダムリング（79）は、１２．６質量％以上１８質量％以下のシリコンを含有するアルミニウム合金で構成されている。このため、上記の不純物の影響により、オルダムリング（79）の摺動部（80）が化学的／物理的に変性してしまうことが回避される。従って、オルダムリング（79）の摺動部（80）では、所望とする耐久性／潤滑性を得ることができ、圧縮機構（82）の信頼性を確保できる。
【０１０３】
また、本実施形態では、温度３０℃、相対湿度９０％における飽和水分量が２０００ｐｐｍ以上の冷凍機油を用いているので、冷媒中の水分を冷凍機油に捕捉させることができる。このため、水分の影響によりＨＦＯ−１２３４ｙｆが劣化してしまうのを防止できる。また、冷凍機油は、塩素濃度が５０ｐｐｍ以下であるので、塩素成分の影響により冷媒の劣化が促進してしまうことも防止できる。更に、冷凍機油は、硫黄濃度が５０ｐｐｍ以下であるので、硫黄成分の影響により、冷媒の劣化が促進してしまうことも防止できる。以上のように、本実施形態では、冷媒の劣化を極力防止するように冷凍機油を選定しているので、冷媒の劣化に起因する不純物の生成を抑えることができ、これによりオルダムリング（79）等の摺動部（80）の変性／劣化を効果的に防止できる。
【０１０４】
また、冷凍機油は、ポリアルキレングリコール、ポリオールエステル、及びポリビニルエーテルのうち少なくとも１つを主成分としている。これにより、冷媒と冷凍機油とが相互に溶け易くなる。このため、冷媒回路（10）中に冷凍機油が流出しても、この冷凍機油は冷媒に溶け込んで圧縮機（30）に返送され易くなる。その結果、圧縮機（30）における油上がりを抑制することができるので、圧縮機（30）の冷凍機油不足、更には潤滑不良を未然に回避できる。従って、圧縮機（30）の信頼性を向上させることができる。
【０１０５】
一方、このような冷凍機油は、長期の冷凍サイクルにより劣化して不純物が生成することがある。しかしながら、本実施形態のオルダムリング（79）は、１２．６質量％以上１８質量％以下のシリコンを含有するアルミニウム合金で構成されているので、冷凍機油の劣化に起因する不純物の影響により、オルダムリング（79）の摺動部（80）が化学的／物理的に変性してしまうことも回避される。
【０１０６】
更に、上記分子式１で表され且つ分子構造中に二重結合を１個有する冷媒に、いわゆる高圧冷媒であるジフルオロメタンが加えられている。このため、冷媒の圧力損失が空気調和装置（20）の運転効率に与える影響を小さくすることができるので、空気調和装置（20）の実際の運転効率を向上させることができる。
【０１０７】
−実施形態の変形例１−
本実施形態の変形例１では、ポリアルキレングリコール、ポリオールエステル、及びポリビニルエーテルの３種類の基油のうちポリオールエステルだけを主成分とする冷凍機油が、圧縮機（30）に用いられている。ポリオールエステルには、「脂肪族多価アルコールと直鎖状若しくは分岐鎖状の脂肪酸とのエステル」、「脂肪族多価アルコールと直鎖状若しくは分岐鎖状の脂肪酸との部分エステル」、及び、「脂肪族多価アルコールと炭素数が３以上９以下の直鎖状若しくは分岐鎖状の脂肪酸との部分エステルと、脂肪族二塩基酸若しくは芳香族二塩基酸とのコンプレックスエステル」の何れかが用いられている。これらのポリオールエステルは、ポリオールエステルの中でも、上記分子式１で表され且つ分子構造中に二重結合を１個有する冷媒との相溶性に優れている。
【０１０８】
「脂肪族多価アルコールと直鎖状又は分岐鎖状の脂肪酸とのエステル又は部分エステル」を形成する脂肪族多価アルコールには、エチレングリコール、プロピレングリコール、ブチレングリコール、ネオペンチルグリコール、トリメチロールエタン、ジトリメチロールエタン、トリメチロールプロパン、ジトリメチロールプロパン、グリセリン、ペンタエリスリトール、ジペンタエリスリトール、トリペンタエリスリトール、ソルビトール等を用いることができる。このうち脂肪族多価アルコールとしては、ペンタエリスリトール、ジペンタエリスリトール、及びトリペンタエリスリトールが好ましい。
【０１０９】
また、脂肪酸には、炭素数が３以上１２以下のものを用いることができ、例えばプロピオン酸、酪酸、ピバリン酸、吉草酸、カプロン酸、ヘプタン酸、オクタン酸、ノナン酸、デカン酸、ドデカン酸、イソ吉草酸、ネオペンタン酸、２−メチル酪酸、２−エチル酪酸、２−メチルヘキサン酸、２−エチルヘキサン酸、イソオクタン酸、イソノナン酸、イソデカン酸、２，２−ジメチルオクタン酸、２−ブチルオクタン酸、３，５，５−トリメチルヘキサン酸を用いることができる。脂肪酸としては、炭素数が５以上１２以下の脂肪酸が好ましく、炭素数が５以上９以下の脂肪酸が更に好ましい。具体的には、吉草酸、ヘキサン酸、ヘプタン酸、２−メチルヘキサン酸、２−エチルヘキサン酸、イソオクタン酸、イソノナン酸、イソデカン酸、２，２−ジメチルオクタン酸、２−ブチルオクタン酸、３，５，５−トリメチルヘキサン酸等が好ましい。
【０１１０】
また、「脂肪族多価アルコールと炭素数が３以上９以下の直鎖状若しくは分岐鎖状の脂肪酸との部分エステルと、脂肪族二塩基酸若しくは芳香族二塩基酸とのコンプレックスエステル」では、炭素数が５以上７以下の脂肪酸が好ましく、炭素数が５又は６の脂肪酸が更に好ましい。具体的には、吉草酸、ヘキサン酸、イソ吉草酸、２−メチル酪酸、２−エチル酪酸又はその混合物が好ましい。また、炭素数が５の脂肪酸と炭素数が６の脂肪酸を重量比で１０：９０以上９０：１０以下の割合で混合した脂肪酸を使用することができる。
【０１１１】
また、脂肪族二塩基酸には、コハク酸、アジピン酸、ピメリン酸、スベリン酸、アゼライン酸、セバシン酸、ウンデカン二酸、ドデカン二酸、トリデカン二酸、ドコサンナ二酸がある。また、芳香族二塩基酸には、フタル酸、イソフタル酸がある。コンプレックスエステルを調製するためのエステル化反応は、多価アルコールと二塩基酸を所定の割合で反応させて部分エステル化した後に、その部分エステルと脂肪酸とを反応させる。なお、二塩基酸と脂肪酸の反応順序を逆にしてもよく、二塩基酸と脂肪酸を混合してエステル化に供してもよい。
【０１１２】
−実施形態の変形例２−
本実施形態の変形例２では、ポリアルキレングリコール、ポリオールエステル、及びポリビニルエーテルの３種類の基油のうちポリアルキレングリコールだけを主成分とする冷凍機油が、圧縮機（30）に用いられている。
【０１１３】
この変形例２では、分子式２：Ｒ１（Ｒ２）ｍ（Ｒ３Ｏ）ｎＲ４（但し、ｍ及びｎは整数で、Ｒ１及びＲ４は、水素、炭素数が１以上６以下のアルキル基、又はアリール基を表し、Ｒ２及びＲ３は、炭素数が１以上４以下のアルキル基を表す。）で表される分子構造のポリアルキレングリコールが用いられている。この分子構造のポリアルキレングリコールは、ポリアルキレングリコールの中でも、上記分子式で表され且つ分子構造中に二重結合を１個有する冷媒との相溶性に優れている。
【０１１４】
《その他の実施形態》
上記実施形態は、以下のように構成してもよい。
【０１１５】
上記実施形態では、圧縮機構（82）のオルダムリング（79）の摺動部（80）を、１２．６質量％以上１８質量％以下のシリコンを含有するアルミニウム合金で構成しているが、このアルミニウム合金を圧縮機構（82）の他の摺動部に適用しても良い。具体的には、上記の可動スクロール（76）の摺動部（80）や、クランク軸（90）のジャーナル軸受けやスラスト軸受けの摺動部に、上記のアルミニウム合金を適用しても良い。可動スクロール（76）にアルミニウム合金を適用する場合には、可動スクロール（76）の全体を上記アルミニウム合金で構成しても良いし、摺動部のみをアルミニウム合金で構成しても良い。
【０１１６】
また、上記実施形態では、圧縮機（30）の圧縮機構（82）がスクロール式の圧縮機構により構成されている。しかしながら、圧縮機構（82）は、スイング式、ロータリ式、スクリュー式等の他の方式の圧縮機構であっても良い。このような他の方式においても、圧縮機構の所定の摺動部に上記のアルミニウム合金を適用しても良い。
【０１１７】
上記実施形態について、ポリアルキレングリコール、ポリオールエステル、及びポリビニルエーテルのうち２つ以上を主成分とする冷凍機油を用いてもよい。
【０１１８】
また、上記実施形態では、冷媒回路（10）の冷媒として、上記分子式で表され且つ分子構造中に二重結合を１個有する冷媒のうちＨＦＯ−１２３４ｙｆ以外の冷媒の単一冷媒を用いてもよい。具体的には、１，２，３，３，３−ペンタフルオロ−１−プロペン（「ＨＦＯ−１２２５ｙｅ」といい、化学式はＣＦ３−ＣＦ＝ＣＨＦで表される。）、１，３，３，３−テトラフルオロ−１−プロペン（「ＨＦＯ−１２３４ｚｅ」といい、化学式はＣＦ３−ＣＨ＝ＣＨＦで表される。）、１，２，３，３−テトラフルオロ−１−プロペン（「ＨＦＯ−１２３４ｙｅ」といい、化学式はＣＨＦ２−ＣＦ＝ＣＨＦで表される。）、３，３，３−トリフルオロ−１−プロペン（「ＨＦＯ−１２４３ｚｆ」といい、化学式はＣＦ３−ＣＨ＝ＣＨ２で表される。）、１，２，２−トリフルオロ−１−プロペン（化学式はＣＨ３−ＣＦ＝ＣＦ２で表される。）、２−フルオロ−１−プロペン（化学式はＣＨ３−ＣＦ＝ＣＨ２で表される。）等を用いることができる。
【０１１９】
また、上記実施形態について、上記分子式で表され且つ分子構造中に二重結合を１個有する冷媒（２，３，３，３−テトラフルオロ−１−プロペン、１，３，３，３−テトラフルオロ−１−プロペン、１，２，３，３−テトラフルオロ−１−プロペン、３，３，３−トリフルオロ−１−プロペン、１，２，２−トリフルオロ−１−プロペン、２−フルオロ−１−プロペン）に、ＨＦＣ−３２（ジフルオロメタン）、ＨＦＣ−１２５（ペンタフルオロエタン）、ＨＦＣ−１３４（１，１，２，２―テトラフルオロエタン）、ＨＦＣ−１３４ａ（１，１，１，２―テトラフルオロエタン）、ＨＦＣ−１４３ａ（１，１，１−トリフルオロエタン）、ＨＦＣ−１５２ａ（１，１−ジフルオロエタン）、ＨＦＣ−１６１、ＨＦＣ−２２７ｅａ、ＨＦＣ−２３６ｅａ、ＨＦＣ−２３６ｆａ、ＨＦＣ−３６５ｍｆｃ、メタン、エタン、プロパン、プロペン、ブタン、イソブタン、ペンタン、２−メチルブタン、シクロペンタン、ジメチルエーテル、ビス−トリフルオロメチル−サルファイド、二酸化炭素、ヘリウムのうち少なくとも１つを加えた混合冷媒を用いてもよい。
【０１２０】
例えば、ＨＦＯ−１２３４ｙｆとＨＦＣ−３２の２成分からなる混合冷媒を用いてもよい。この場合は、７８．２質量％のＨＦＯ−１２３４ｙｆと、２１．８質量％のＨＦＣ−３２とからなる混合冷媒を用いることができる。なお、ＨＦＯ−１２３４ｙｆとＨＦＣ−３２の混合冷媒は、ＨＦＯ−１２３４ｙｆの割合が７０質量％以上９４質量％以下でＨＦＣ−３２の割合が６質量％以上３０質量％以下であればよく、好ましくは、ＨＦＯ−１２３４ｙｆの割合が７７質量％以上８７質量％以下でＨＦＣ−３２の割合が１３質量％以上２３質量％以下であればよく、更に好ましくは、ＨＦＯ−１２３４ｙｆの割合が７７質量％以上７９質量％以下でＨＦＣ−３２の割合が２１質量％以上２３質量％以下であれば更に好ましい。
【０１２１】
また、ＨＦＯ−１２３４ｙｆとＨＦＣ−１２５の混合冷媒を用いてもよい。この場合は、ＨＦＣ−１２５の割合が１０質量％以上であるのが好ましく、さらに１０質量％以上２０質量％以下であるのが更に好ましい。
【０１２２】
また、ＨＦＯ−１２３４ｙｆとＨＦＣ−３２とＨＦＣ−１２５の３成分からなる混合冷媒を用いてもよい。この場合は、５２質量％のＨＦＯ−１２３４ｙｆと、２３質量％のＨＦＣ−３２と、２５質量％のＨＦＣ−１２５とからなる混合冷媒を用いることができる。
【０１２３】
また、上記実施形態について、ケイ酸や合成ゼオライトが乾燥剤として充填された乾燥機を冷媒回路（10）に設けてもよい。
【０１２４】
また、上記実施形態について、冷凍装置（20）が、暖房専用の空気調和装置であってもよいし、食品を冷却するための冷蔵庫や冷凍庫であってもよいし、空調機と冷蔵庫や冷凍庫とを組み合せた冷凍装置であってもよいし、冷媒回路（10）の放熱器で水を加熱する給湯装置であってもよい。
【０１２５】
なお、以上の実施形態は、本質的に好ましい例示であって、本発明、その適用物、あるいはその用途の範囲を制限することを意図するものではない。
【産業上の利用可能性】
【０１２６】
以上説明したように、本発明は、冷凍サイクルを行う冷凍装置について有用である。
【図面の簡単な説明】
【０１２７】
【図１】図１は、実施形態に係る冷凍装置の概略構成図である。
【図２】図２は、実施形態に係る圧縮機の縦断面図である。
【図３】図３は、実施形態に係る圧縮機の圧縮機構の横断面図である。
【符号の説明】
【０１２８】
10  冷媒回路
20  空気調和装置（冷凍装置）
30  圧縮機
73  圧縮室
75  固定スクロール
76  可動スクロール
79  オルダムリング
80  摺動部
82  圧縮機構
【図１】
2009222033.tif 000004
【図２】
2009222033.tif 000005
【図３】
2009222033.tif 000006